(57)【要約】      （修正有）【課題】消火用ホースなどの消火器具を格納する消火器具格納箱を簡単に台座に据え付けることができて、台座の地面への設置に際して格納箱の横幅を見計らうという煩雑で甚だ面倒な作業を必要としない消火器具格納箱の据え付け用台座を提供する。【解決手段】消火器具格納箱の据え付け用台座Ｂは、アンカーボルト取付用穴を有する矩形状のベースＢ１とこのベースＢ２の両端に設けた突壁Ｂ１とからなるコンクリートでできた消火器具格納箱の据え付け用台座であって、突壁Ｂ１に設けた取っ手部を有し、この突壁の上面に消火器具格納箱Ａを据え付ける。【選択図】図１
0003136321.tif 000002
【実用新案登録請求の範囲】
【請求項１】
アンカーボルト取付用穴を有する矩形状のベースと前記ベースの両端に設けた突壁とからなるコンクリートでできた消火器具格納箱の据え付け用台座であって、前記突壁のそれぞれに設けた取っ手部を有し、前記突壁の上面に消火器具格納箱を据え付けることを特徴とする消火器具格納箱の据え付け用台座。
【請求項２】
前記取っ手部は前記突壁のそれぞれに形成した貫通穴としたことを特徴とする請求項１記載の消火器具格納箱の据え付け用台座。
【請求項３】
前記突壁の上面全体に防蝕用プレートを設けたことを特徴とする請求項１または請求項２記載の消火器具格納箱の据え付け用台座。
【考案の詳細な説明】
【技術分野】
【０００１】本考案は消火用ホースなどの消火器具を格納する消火器具格納箱の据え付け用台座に関するものである。
【背景技術】
【０００２】従来、消火用ホースなどの消火器具を格納する消火器具格納箱特に、非使用時に路上に設置された自治体の消火栓及び工場その他の建造物内外の消火栓の給水口から外して当該消火栓の近傍に配備しておくべき陸上用の消火器具格納箱を直かに、コンクリート台座へ組立固定するコンクリート製台座は種々知られている。【０００３】例えば、特許文献１記載のように一定の厚み寸法と幅寸法並びに奥行寸法を有する平盤形態のコンクリートブロックから成り、上端開口縁部に固定ナットが封入一体化された合成樹脂製ナット保持管の複数を、上記コンクリートブロックの奥行方向に沿い点在分布する左右一対づつとして垂立状態に埋設し、そのナット保持管の固定ナットへ上方から取捨選択的に螺合締結される組立ボルト奥行寸法が大小変化する各種格納庫本体の底板を直かにまたは支持脚を介して上記コンクリートブロックへ固定できるように定めたことを特徴とする消火用ホース格納庫の屋外据え付けベースが提案されている。【０００４】
【特許文献１】特開２００２−３０６７６号公報
【考案の開示】
【考案が解決しようとする課題】
【０００５】然しながら、特許文献１記載の提案では、平盤形態のコンクリートブロックへの取り付けには格納庫本体の底板を直に固定させると、格納庫本体の底板の通気性が悪い。一方、格納庫本体の底板を支持脚を介して上記コンクリートブロックへ固定させる場合には支持脚などの部品構成が必要となる。【０００６】本考案は上記問題点を解消し、消火用ホースなどの消火器具を格納する消火器具格納箱を簡単に台座に据え付けることができて、台座の地面への設置において格納箱の横幅を見計らうという煩雑で甚だ面倒な作業を必要としない消火器具格納箱の据え付け用台座を提供することを目的とする。
【課題を解決するための手段】
【０００７】本考案の消火器具格納箱は、アンカーボルト取付用穴を有する矩形状のベースと、前記ベースの両端に設けた突壁とからなるコンクリートでできた消火器具格納箱の据え付け用台座であって、前記突壁のそれぞれに設けた取っ手部を有し、前記突壁の上面に消火器具格納箱を据え付けることを特徴とする。更に、前記突壁の上面全体に防蝕用プレートを設けて消火器具格納箱の底板の腐食を防止することを特徴とする。
【考案の効果】
【０００８】上記のように本考案によれば、消火器具格納箱用一体型コンクリート台座として消火器具格納箱の扉が消火器具格納箱のゆがみやねじれによって開閉が困難又は開閉不能となる事態が解消され又、設置に際して格納箱の横幅を見計らうという煩雑で甚だ面倒な作業を必要とせず、台座左右の側面に持ち手用の取っ手部を設けることにより運搬が楽で自由になり、地面と接する底面部に地面と台座を固定する為のアンカーボルトを打つ為の穴が２ヶ所設けてあり、これによって一体型コンクリート台座と地面が安定的に固定されるという好ましい効果を容易に得ることができるという大きな利益がある。
【考案を実施するための最良の形態】
【０００９】本考案の実施形態を図面に基づいて以下、説明する。【００１０】図１において、Ａは扉１を有する消火器具格納箱で、Ｂは、アンカーボルト取付用穴４を有する矩形状のベースＢ２とこのベースＢ２の両端に略垂直に延びた突壁Ｂ１、Ｂ１とを一体にしてコンクリートでできた消火器具格納箱の据え付け用台座（以下、台座という）である。消火器具格納箱Ａはその底板２が台座Ｂの突壁Ｂ１、Ｂ１の上面に後述するように支持するように据え付られる。【００１１】図３および図４において、ベースＢ２の両端に設けた突壁Ｂ１、Ｂ１には貫通穴が形成された取っ手部６が設けられており、この取っ手部６を持って設置した居場所まで運搬し設置したい地面Ｅに直に置く。この場合、取っ手部６は貫通穴としているが、窪みでもよく手提げ金具を付属させてもよい。【００１２】消火器具格納箱Ａの据え付け状態を表わした図１および図６から図８において、消火器具格納箱Ａの底板２の四隅位置には開口形成されたボルト受け入れ長孔１０がある。台座Ｂの突壁Ｂ１、Ｂ１に対し、消火器具格納箱Ａの底板２を載置セットすると共に、その底板２に開口するボルト受け入れ長孔１０を台座Ｂから露出するスタツドボルト９の上端ネジ軸部１３に貫通させた上、その上端ネジ軸部１３へ消火器具格納箱Ａの内部（上方）から座金１０を介して、固定ナツト１１を各々螺合締結することにより、消火器具格納箱Ａとその台座Ｂとを組立固定するのである。その際、一体型ゆえに台座Ｂ自体を設置地面に置くだけで良く、従来ある左右分離型コンクリートブロックのように消火器具格納箱の幅を考慮に入れるというわずらわしい作業が不要で消火器具格納箱Ａと台座Ｂとを軽快に能率良く組立作業することができる。また、左右分離型コンクリートブロックのように不整地面に置いた場合に発生する消火器具格納箱Ａのねじれによる扉１の開閉不能という事態も解消される。【００１３】更に、台座Ｂは充分な重量を有するコンクリートブロック製であり、しかも消火器具格納箱Ａの前後方向に沿い延在する矩形状として、その両端に設けた突壁Ｂ１、Ｂ１の上面で消火器具格納箱Ａを支持するように据え付けるため、地面へ直置き使用する場合にも、消火器具格納箱Ａ自身の不慮に転倒するおそれがなく、通気性もよい。なお、台座ＢのベースＢ２は突壁Ｂ１、Ｂ１との間で幅が狭くなるように切除部１５を設けて台座Ｂの重量を軽くするようにしている。【００１４】更に、アンカーボルト穴４にアンカーボルト３を貫通させ、その上にコンクリートやモルタル１４を打設し、アンカーボルト３を地中に埋設一体化することで（図２参照）、地面により強固に固定され、消火器具格納箱Ａを不正な移動や転倒のおそれがない据え付け状態に保つことも可能である。【００１５】図５は補強用鉄筋を示す断面図であり、台座ＢのベースＢ２に複数の補強用鉄筋又は金属丸棒７を縦横交叉する関係状態に埋設一体化することにより台座Ｂを補強している。
【図面の簡単な説明】
【００１６】
【図１】  本考案に係る消火器具格納箱の据え付け状態を示す正面図である。
【図２】  本考案に係るアンカーボルト取り付け状態示す断面図である。
【図３】  本考案に係るアンカーボルト取り付け穴を示す平面図である。
【図４】  本考案に係る取っ手部を示す側面図である。
【図５】  本考案に係る補強用鉄筋を示す断面図である。
【図６】  図１における据え付け状態を示す部分拡大断面図である。
【図７】  図１における据え付け状態を示す平面図の断面図である。
【図８】  一体型コンクリート台座および座金やナットとの分解斜視図である。
【符号の説明】
【００１７】    Ａ  消火器具格納箱
Ｂ  台座
Ｂ１  突壁
Ｂ２  ベース
１  扉
２  底板
３  アンカーボルト
４  アンカーボルト取り付け穴
５  防蝕プレート
６  取っ手部
【図１】
0003136321.tif 000003
【図２】
0003136321.tif 000004
【図３】
0003136321.tif 000005
【図４】
0003136321.tif 000006
【図５】
0003136321.tif 000007
【図６】
0003136321.tif 000008
【図７】
0003136321.tif 000009
【図８】
0003136321.tif 000010